(57)【要約】【課題】大量の種類が存在するトレーディングカードの画像データと照合する処理能力を向上させ、買取査定にかかる時間短縮及び人件費等のコストを低減させる。【解決手段】本発明のトレーディングカード買取査定システムは、店舗装置及び管理装置を含み、店舗装置は、持ち込まれた買取査定対象カードを撮影した買取対象画像データを半導体記憶部にキャッシュ済みの照合用画像データと照合する買取査定処理を行う。管理装置は、買取査定に関する履歴、トレーディングカードに関するイベント情報の履歴、トレーディングカードをテーマとして取り上げたＷｅｂサイトの掲載履歴、トレーディングカードの話題を含むコミュニティサイトの掲載履歴などから、店舗に持ち込まれるトレーディングカードの買取ニーズ動向情報を把握し、買取ニーズ動向情報に応じて、半導体記憶部に一括して展開可能な予め設定された所定数の照合用画像データ群を店舗装置に配信する。【選択図】図１
2019082870.tif 000002
【特許請求の範囲】
【請求項１】
トレーディングカードの照合用画像データと買取価格を含む取引情報とを管理する管理装置と、前記照合用画像データ及び前記取引情報を格納し、持ち込まれた買取査定対象カードの買取査定処理を行う店舗装置と、を有するトレーディングカード買取査定システムであって、
前記店舗装置は、
前記買取査定対象カードを撮影する撮影部と、
半導体記憶部と、
前記管理装置から配信される前記照合用画像データを複数一括して前記半導体記憶部に展開させ、前記各照合用画像データをキャッシュ済みにさせるデータ展開部と、
撮影された買取対象画像データとキャッシュ済みの複数の前記照合用画像データとを比較し、前記買取対象画像データに合致する前記照合用画像データを特定する照合制御部と、
特定された前記照合用画像データに紐付く前記取引情報を抽出する買取制御部と、を備え、
前記管理装置は、
前記店舗装置に配信される複数の前記照合用画像データを一部に含むトレーディングカードの画像マスタデータ群と、前記画像マスタデータ群の各データに紐付く前記買取価格を含む取引情報マスタを記憶する記憶部と、
前記店舗装置での買取査定に関する履歴、トレーディングカードに関するイベント情報の履歴、トレーディングカードをテーマとして取り上げたＷｅｂサイトの掲載履歴、トレーディングカードの話題を含むコミュニティサイトの掲載履歴の少なくとも１つに基づいて、店舗に持ち込まれるトレーディングカードの買取ニーズ動向情報を生成する解析部と、
前記買取ニーズ動向情報に基づいて、前記店舗装置の前記半導体記憶部に一括して展開可能な予め設定された所定数の照合用画像データ群を前記画像マスタデータから抽出する配信用照合データ生成部と、
抽出された前記配信用画像データ群と、前記取引情報マスタから抽出される前記照合用画像データ群に紐付く前記取引情報とを含む配信用照合データを前記店舗装置に配信する照合データ配信制御部と、
を備えることを特徴とするトレーディングカード買取査定システム。
【請求項２】
前記解析部は、前記店舗装置での買取査定に関する履歴に基づいて、前記画像マスタデータの中から買取査定の依頼数が所定値以上のトレーディングカード又は買取査定の依頼数が多い順位に所定順位以上のトレーディングカードを抽出し、抽出されたトレーディングカードを前記買取ニーズ動向情報として生成することを特徴とする請求項１に記載のトレーディングカード買取査定システム。
【請求項３】
前記解析部は、前記店舗装置での買取査定に関する履歴に基づいて、前記画像マスタデータの中から買取査定の依頼数の変化率が所定値以上のトレーディングカード又は前記買取価格の変化率が所定値以上のトレーディングカードを抽出し、抽出されたトレーディングカードを前記買取ニーズ動向情報として生成することを特徴とする請求項１又は２に記載のトレーディングカード買取査定システム。
【請求項４】
前記解析部は、トレーディングカードに関するイベント情報の履歴に基づいて、前記画像マスタデータの中からイベントで使用又は紹介されたトレーディングカードを抽出し、抽出されたトレーディングカードを前記買取ニーズ動向情報として生成することを特徴とする請求項１から３のいずれか１つに記載のトレーディングカード買取査定システム。
【請求項５】
前記解析部は、トレーディングカードをテーマとして取り上げたＷｅｂサイトの掲載履歴に基づいて、前記画像マスタデータの中からテーマに関連するトレーディングカードを抽出し、抽出されたトレーディングカードを前記買取ニーズ動向情報として生成することを特徴とする請求項１から４のいずれか１つに記載のトレーディングカード買取査定システム。
【請求項６】
前記解析部は、トレーディングカードの話題を含むコミュニティサイトの掲載履歴に基づいて、前記画像マスタデータの中からコミュニティサイトで話題となったトレーディングカードを抽出し、抽出されたトレーディングカードを前記買取ニーズ動向情報として生成することを特徴とする請求項１から５のいずれか１つに記載のトレーディングカード買取査定システム。
【請求項７】
前記解析部は、
前記店舗装置での買取査定に関する履歴に基づいて、前記画像マスタデータの中から買取査定の依頼数が所定値以上のトレーディングカード群又は買取査定の依頼数が多い順に所定順位以上のトレーディングカード群を抽出し、抽出されたトレーディングカード群を第１買取ニーズ動向情報として生成する第１解析処理と、
トレーディングカードに関するイベント情報の履歴に基づいて、前記画像マスタデータの中からイベントで使用又は紹介されたトレーディングカード群を抽出し、抽出されたトレーディングカード群を第２買取ニーズ動向情報として生成する第２解析処理と、
トレーディングカードをテーマとして取り上げたＷｅｂサイトの掲載履歴に基づいて、前記画像マスタデータの中からテーマに関連するトレーディングカード群を抽出し、抽出されたトレーディングカード群を第３買取ニーズ動向情報として生成する第３解析処理と、
トレーディングカードの話題を含むコミュニティサイトの掲載履歴に基づいて、前記画像マスタデータの中からコミュニティサイトで話題となったトレーディングカード群を抽出し、抽出されたトレーディングカード群を第４買取ニーズ動向情報として生成する第４解析処理と、を行い、
前記配信用照合データ生成部は、前記第１買取ニーズ動向情報に基づいて抽出された第１照合用画像データ群、前記第２買取ニーズ動向情報に基づいて抽出された第２照合用画像データ群、前記第３買取ニーズ動向情報に基づいて抽出された第３照合用画像データ群、及び前記第４買取ニーズ動向情報に基づいて抽出された第４照合用画像データ群を合算して、前記配信用照合データ用の前記照合用画像データ群を生成することを特徴とする請求項１に記載のトレーディングカード買取査定システム。
【請求項８】
持ち込まれた買取査定対象カードを撮影した買取対象画像データを半導体記憶部にキャッシュ済みの照合用画像データと照合し、特定された前記照合用画像データに紐付く取引情報を抽出する買取査定処理を行う店舗装置と接続され、前記買取査定処理に用いられるトレーディングカードの前記照合用画像データと買取価格を含む前記取引情報とを管理する管理装置であって、
前記店舗装置に配信される複数の前記照合用画像データを一部に含むトレーディングカードの画像マスタデータ群と、前記画像マスタデータ群の各データに紐付く前記買取価格を含む取引情報マスタを記憶する記憶部と、
前記店舗装置での買取査定に関する履歴、トレーディングカードに関するイベント情報の履歴、トレーディングカードをテーマとして取り上げたＷｅｂサイトの掲載履歴、トレーディングカードの話題を含むコミュニティサイトの掲載履歴の少なくとも１つに基づいて、店舗に持ち込まれるトレーディングカードの買取ニーズ動向情報を生成する解析部と、
前記買取ニーズ動向情報に基づいて、前記店舗装置の前記半導体記憶部に一括して展開可能な予め設定された所定数の照合用画像データ群を前記画像マスタデータから抽出する配信用照合データ生成部と、
抽出された前記配信用画像データ群と、前記取引情報マスタから抽出される前記照合用画像データ群に紐付く前記取引情報とを含む配信用照合データを前記店舗装置に配信する照合データ配信制御部と、
を備えることを特徴とする管理装置。
【請求項９】
持ち込まれた買取査定対象カードを撮影した買取対象画像データを半導体記憶部にキャッシュ済みの照合用画像データと照合し、特定された前記照合用画像データに紐付く取引情報を抽出する買取査定処理を行う店舗装置と接続され、前記買取査定処理に用いられるトレーディングカードの前記照合用画像データと買取価格を含む前記取引情報とを管理する管理装置によって実行されるプログラムであって、
前記管理装置は、前記店舗装置に配信される複数の前記照合用画像データを一部に含むトレーディングカードの画像マスタデータ群と、前記画像マスタデータ群の各データに紐付く前記買取価格を含む取引情報マスタを記憶する記憶部を備え、
前記店舗装置での買取査定に関する履歴、トレーディングカードに関するイベント情報の履歴、トレーディングカードをテーマとして取り上げたＷｅｂサイトの掲載履歴、トレーディングカードの話題を含むコミュニティサイトの掲載履歴の少なくとも１つに基づいて、店舗に持ち込まれるトレーディングカードの買取ニーズ動向情報を生成する第１機能と、
前記買取ニーズ動向情報に基づいて、前記店舗装置の前記半導体記憶部に一括して展開可能な予め設定された所定数の照合用画像データ群を前記画像マスタデータから抽出する第２機能と、
抽出された前記配信用画像データ群と、前記取引情報マスタから抽出される前記照合用画像データ群に紐付く前記取引情報とを含む配信用照合データを前記店舗装置に配信する第３機能と、
を実現させるためのプログラム。
【請求項１０】
トレーディングカードの照合用画像データと買取価格を含む取引情報とを管理する管理装置と接続され、持ち込まれた買取査定対象カードの買取査定処理を行う店舗装置であって、
前記買取査定対象カードを撮影する撮影部と、
半導体記憶部と、
前記管理装置から配信される前記照合用画像データであって、前記管理装置において、前記店舗装置での買取査定に関する履歴、トレーディングカードに関するイベント情報の履歴、トレーディングカードをテーマとして取り上げたＷｅｂサイトの掲載履歴、トレーディングカードの話題を含むコミュニティサイトの掲載履歴の少なくとも１つに基づいて選定された、前記半導体記憶部に一括して展開可能な予め設定された所定数の照合用画像データ群を一括して前記半導体記憶部に展開させ、前記各照合用画像データをキャッシュ済みにさせるデータ展開部と、
撮影された買取対象画像データとキャッシュ済みの複数の前記照合用画像データとを比較し、前記買取対象画像データに合致する前記照合用画像データを特定する照合制御部と、
特定された前記照合用画像データに紐付く前記取引情報を抽出する買取制御部と、
を備えることを特徴とする店舗装置。
【請求項１１】
トレーディングカードの照合用画像データと買取価格を含む取引情報とを管理する管理装置と接続され、持ち込まれた買取査定対象カードの買取査定処理を行う店舗装置で実行されるプログラムであって、
撮影装置を介して前記買取査定対象カードを撮影する第１機能と、
前記管理装置から配信される前記照合用画像データであって、前記管理装置において、前記店舗装置での買取査定に関する履歴、トレーディングカードに関するイベント情報の履歴、トレーディングカードをテーマとして取り上げたＷｅｂサイトの掲載履歴、トレーディングカードの話題を含むコミュニティサイトの掲載履歴の少なくとも１つに基づいて選定された、前記半導体記憶部に一括して展開可能な予め設定された所定数の照合用画像データ群を、一括して前記半導体記憶部に展開させ、前記各照合用画像データをキャッシュ済みにさせる第２機能と、
撮影された買取対象画像データとキャッシュ済みの複数の前記照合用画像データとを比較し、前記買取対象画像データに合致する前記照合用画像データを特定する第３機能と、
特定された前記照合用画像データに紐付く前記取引情報を抽出する第４機能と、
を実現させるためのプログラム。
【発明の詳細な説明】
【技術分野】
【０００１】
本発明は、多種多様で大量の種類が存在するトレーディングカードの買取査定作業を支援する技術に関する。
【背景技術】
【０００２】
特許文献１の買取価格査定システムは、店舗において、スキャナで複数のトレーディングカードを読み込み、データベースと照合して買取価格を抽出する端末装置を備えている。端末装置には照合画像データが予め記憶されており、端末装置にない場合はサーバに読み取った画像データを送信してサーバ側で照合する。
【先行技術文献】
【特許文献】
【０００３】
【特許文献１】特開２０１４−２１５９３０号公報
【発明の概要】
【発明が解決しようとする課題】
【０００４】
トレーディングカードは、何万、十何万の大量の種類が存在する。このため、膨大なリストの中から買取価格を査定する作業を迅速化することは、人件費等のコスト及び依頼者である顧客に対する迅速な買取接客の観点において重要である。
【０００５】
特許文献１を含めた従来の手法は、専門知識等がなくても買取査定を容易に行うことができる技術に主眼が置かれており、その技術的観点は、手慣れていない者でも知識が豊富な熟練者と同様に作業が行えるよう、支援するものである。このため、特許文献１のように買取価格をデータベース化しておけば、豊富な知識がなくてもある程度的確に、かつスピーディに買取査定作業を行うことができる。
【０００６】
しかしながら、特許文献１の買取価格査定システムは、店舗の端末装置に照合画像データが記憶されていない場合、サーバに問い合わせを行っており、そもそもの照合処理自体に時間がかかってしまう。さらには、特許文献１の仕組みでは、ハードディスク装置などの補助記憶装置に記憶された照合画像データに対して、読取画像データを照合しているため、データアクセス速度が遅く、照合処理に時間がかかっていた。
【０００７】
このように従来の手法は、店舗に設置されるコンピュータ装置を用いて買取査定を自動化しているものの、そもそもの照合処理速度が遅く、照合処理能力を如何に向上させて買取査定業務自体の負荷軽減及び時間短縮を図る仕組みを実現するか達成するものではなかった。
【０００８】
また、特許文献１は、自動給紙装置（auto document feeder）付きのスキャナで複数のトレーディングカードを連続して読み取ることで、照合処理のスピードではなく物理的な読み取り速度を向上させているが、自動給紙装置の回転ローラーにトレーディングカードの表面又は裏面に接触する。トレーディングカードの商品価値に影響する表面や裏面の傷等を考慮すると、トレーディングカードの表面又は裏面への機械的な接触は極力避けることが好ましい。
【０００９】
そこで、本発明は、大量の種類が存在するトレーディングカードの画像データと照合する処理能力を向上させ、買取査定にかかる時間短縮及び人件費等のコストを低減させることができるトレーディングカード買取査定システムを提供することにある。
【課題を解決するための手段】
【００１０】
（１）本発明のトレーディングカード買取査定システムは、トレーディングカードの照合用画像データと買取価格を含む取引情報とを管理する管理装置と、照合用画像データ及び取引情報を格納し、持ち込まれた買取査定対象カードの買取査定処理を行う店舗装置と、を有する。店舗装置は、買取査定対象カードを撮影する撮影部と、半導体記憶部と、管理装置から配信される照合用画像データを複数一括して半導体記憶部に展開させ、各照合用画像データをキャッシュ済みにさせるデータ展開部と、撮影された買取対象画像データとキャッシュ済みの複数の照合用画像データとを比較し、買取対象画像データに合致する照合用画像データを特定する照合制御部と、特定された照合用画像データに紐付く取引情報を抽出する買取制御部と、を備える。
【００１１】
管理装置は、店舗装置に配信される複数の照合用画像データを一部に含むトレーディングカードの画像マスタデータ群と、画像マスタデータ群の各データに紐付く買取価格を含む取引情報マスタを記憶する記憶部と、店舗装置での買取査定に関する履歴、トレーディングカードに関するイベント情報の履歴、トレーディングカードをテーマとして取り上げたＷｅｂサイトの掲載履歴、トレーディングカードの話題を含むコミュニティサイトの掲載履歴の少なくとも１つに基づいて、店舗に持ち込まれるトレーディングカードの買取ニーズ動向情報を生成する解析部と、買取ニーズ動向情報に基づいて、店舗装置の半導体記憶部に一括して展開可能な予め設定された所定数の照合用画像データ群を画像マスタデータから抽出する配信用照合データ生成部と、抽出された配信用画像データ群と、取引情報マスタから抽出される照合用画像データ群に紐付く取引情報とを含む配信用照合データを店舗装置に配信する照合データ配信制御部と、を備える。
【００１２】
（２）上記（１）において、解析部は、店舗装置での買取査定に関する履歴に基づいて、画像マスタデータの中から買取査定の依頼数が所定値以上のトレーディングカード又は買取査定の依頼数が多い順位に所定順位以上のトレーディングカードを抽出し、抽出されたトレーディングカードを買取ニーズ動向情報として生成するように構成することができる。
【００１３】
（３）上記（１）又は（２）において、解析部は、店舗装置での買取査定に関する履歴に基づいて、画像マスタデータの中から買取査定の依頼数の変化率が所定値以上のトレーディングカード又は買取価格の変化率が所定値以上のトレーディングカードを抽出し、抽出されたトレーディングカードを買取ニーズ動向情報として生成するように構成することができる。
【００１４】
（４）上記（１）から（３）において、解析部は、トレーディングカードに関するイベント情報の履歴に基づいて、画像マスタデータの中からイベントで使用又は紹介されたトレーディングカードを抽出し、抽出されたトレーディングカードを買取ニーズ動向情報として生成するように構成することができる。
【００１５】
（５）上記（１）から（４）において、解析部は、トレーディングカードをテーマとして取り上げたＷｅｂサイトの掲載履歴に基づいて、画像マスタデータの中からテーマに関連するトレーディングカードを抽出し、抽出されたトレーディングカードを買取ニーズ動向情報として生成するように構成することができる。
【００１６】
（６）上記（１）から（５）において、解析部は、トレーディングカードの話題を含むコミュニティサイトの掲載履歴に基づいて、画像マスタデータの中からコミュニティサイトで話題となったトレーディングカードを抽出し、抽出されたトレーディングカードを買取ニーズ動向情報として生成するように構成することができる。
【００１７】
（７）上記（１）において、解析部は、店舗装置での買取査定に関する履歴に基づいて、画像マスタデータの中から買取査定の依頼数が所定値以上のトレーディングカード群又は買取査定の依頼数が多い順に所定順位以上のトレーディングカード群を抽出し、抽出されたトレーディングカード群を第１買取ニーズ動向情報として生成する第１解析処理と、トレーディングカードに関するイベント情報の履歴に基づいて、画像マスタデータの中からイベントで使用又は紹介されたトレーディングカード群を抽出し、抽出されたトレーディングカード群を第２買取ニーズ動向情報として生成する第２解析処理と、トレーディングカードをテーマとして取り上げたＷｅｂサイトの掲載履歴に基づいて、画像マスタデータの中からテーマに関連するトレーディングカード群を抽出し、抽出されたトレーディングカード群を第３買取ニーズ動向情報として生成する第３解析処理と、トレーディングカードの話題を含むコミュニティサイトの掲載履歴に基づいて、画像マスタデータの中からコミュニティサイトで話題となったトレーディングカード群を抽出し、抽出されたトレーディングカード群を第４買取ニーズ動向情報として生成する第４解析処理と、を行うことができる。
【００１８】
そして、配信用照合データ生成部は、第１買取ニーズ動向情報に基づいて抽出された第１照合用画像データ群、第２買取ニーズ動向情報に基づいて抽出された第２照合用画像データ群、第３買取ニーズ動向情報に基づいて抽出された第３照合用画像データ群、及び第４買取ニーズ動向情報に基づいて抽出された第４照合用画像データ群を合算して、配信用照合データ用の照合用画像データ群を生成するように構成することができる。
【００１９】
（８）本発明の管理装置は、持ち込まれた買取査定対象カードを撮影した買取対象画像データを半導体記憶部にキャッシュ済みの照合用画像データと照合し、特定された照合用画像データに紐付く取引情報を抽出する買取査定処理を行う店舗装置と接続され、買取査定処理に用いられるトレーディングカードの照合用画像データと買取価格を含む取引情報とを管理する。管理装置は、店舗装置に配信される複数の照合用画像データを一部に含むトレーディングカードの画像マスタデータ群と、画像マスタデータ群の各データに紐付く買取価格を含む取引情報マスタを記憶する記憶部と、店舗装置での買取査定に関する履歴、トレーディングカードに関するイベント情報の履歴、トレーディングカードをテーマとして取り上げたＷｅｂサイトの掲載履歴、トレーディングカードの話題を含むコミュニティサイトの掲載履歴の少なくとも１つに基づいて、店舗に持ち込まれるトレーディングカードの買取ニーズ動向情報を生成する解析部と、買取ニーズ動向情報に基づいて、店舗装置の半導体記憶部に一括して展開可能な予め設定された所定数の照合用画像データ群を画像マスタデータから抽出する配信用照合データ生成部と、抽出された配信用画像データ群と、取引情報マスタから抽出される照合用画像データ群に紐付く取引情報とを含む配信用照合データを店舗装置に配信する照合データ配信制御部と、を備える。
【００２０】
（９）本発明のプログラムは、持ち込まれた買取査定対象カードを撮影した買取対象画像データを半導体記憶部にキャッシュ済みの照合用画像データと照合し、特定された照合用画像データに紐付く取引情報を抽出する買取査定処理を行う店舗装置と接続され、買取査定処理に用いられるトレーディングカードの照合用画像データと買取価格を含む取引情報とを管理する管理装置によって実行される。ここで、管理装置は、店舗装置に配信される複数の照合用画像データを一部に含むトレーディングカードの画像マスタデータ群と、画像マスタデータ群の各データに紐付く買取価格を含む取引情報マスタを記憶する記憶部を備えている。本プログラムは、店舗装置での買取査定に関する履歴、トレーディングカードに関するイベント情報の履歴、トレーディングカードをテーマとして取り上げたＷｅｂサイトの掲載履歴、トレーディングカードの話題を含むコミュニティサイトの掲載履歴の少なくとも１つに基づいて、店舗に持ち込まれるトレーディングカードの買取ニーズ動向情報を生成する第１機能と、買取ニーズ動向情報に基づいて、店舗装置の半導体記憶部に一括して展開可能な予め設定された所定数の照合用画像データ群を画像マスタデータから抽出する第２機能と、抽出された配信用画像データ群と、取引情報マスタから抽出される照合用画像データ群に紐付く取引情報とを含む配信用照合データを店舗装置に配信する第３機能と、を管理装置に実現させる。
【００２１】
（１０）本発明の店舗装置は、トレーディングカードの照合用画像データと買取価格を含む取引情報とを管理する管理装置と接続され、持ち込まれた買取査定対象カードの買取査定処理を行う。店舗装置は、買取査定対象カードを撮影する撮影部と、半導体記憶部と、管理装置から配信される照合用画像データであって、管理装置において、店舗装置での買取査定に関する履歴、トレーディングカードに関するイベント情報の履歴、トレーディングカードをテーマとして取り上げたＷｅｂサイトの掲載履歴、トレーディングカードの話題を含むコミュニティサイトの掲載履歴の少なくとも１つに基づいて選定された、半導体記憶部に一括して展開可能な予め設定された所定数の照合用画像データ群を一括して半導体記憶部に展開させ、各照合用画像データをキャッシュ済みにさせるデータ展開部と、撮影された買取対象画像データとキャッシュ済みの複数の照合用画像データとを比較し、買取対象画像データに合致する照合用画像データを特定する照合制御部と、特定された照合用画像データに紐付く取引情報を抽出する買取制御部と、を備える。
【００２２】
（１１）本発明のプログラムは、トレーディングカードの照合用画像データと買取価格を含む取引情報とを管理する管理装置と接続され、持ち込まれた買取査定対象カードの買取査定処理を行う店舗装置で実行されるプログラムである。本プログラムは、撮影装置を介して買取査定対象カードを撮影する第１機能と、管理装置から配信される照合用画像データであって、管理装置において、店舗装置での買取査定に関する履歴、トレーディングカードに関するイベント情報の履歴、トレーディングカードをテーマとして取り上げたＷｅｂサイトの掲載履歴、トレーディングカードの話題を含むコミュニティサイトの掲載履歴の少なくとも１つに基づいて選定された、半導体記憶部に一括して展開可能な予め設定された所定数の照合用画像データ群を、一括して半導体記憶部に展開させ、各照合用画像データをキャッシュ済みにさせる第２機能と、撮影された買取対象画像データとキャッシュ済みの複数の照合用画像データとを比較し、買取対象画像データに合致する照合用画像データを特定する第３機能と、特定された前記照合用画像データに紐付く取引情報を抽出する第４機能と、を店舗装置に実現させる。
【発明の効果】
【００２３】
本発明によれば、撮影によって非接触で読み取られた買取対象画像データを、大量の種類が存在するトレーディングカードの画像データと照合する処理能力が向上し、買取査定にかかる時間短縮及び人件費等のコストを低減させることができる。
【図面の簡単な説明】
【００２４】
【図１】本発明の第１実施形態に係るトレーディングカード買取査定システムの概要を説明するための図である。
【図２】本発明の第１実施形態に係るトレーディングカード買取査定システムを構成する各装置の機能ブロック図である。
【図３】本発明の第１実施形態に係る各種データを説明するための図であり、（ａ）は照合用画像データ、（ｂ）は取引情報、（ｃ）は買取査定履歴の一例を示す図である。
【図４】本発明の第１実施形態に係る買取ニーズ解析処理を説明するための図である。
【図５】本発明の第１実施形態に係るトレーディングカード買取査定システムの買取ニーズ解析処理及び配信用照合データ生成処理の処理フローを示す図である。
【図６】本発明の第１実施形態に係るトレーディングカード買取査定システムの処理フローを示す図である。
【図７】本発明の第１実施形態に係るトレーディングカード買取査定システムの保留履歴を用いた処理フローを示す図である。
【発明を実施するための最良の形態】
【００２５】
以下、実施形態につき、図面を参照して説明する。
【００２６】
（第１実施形態）
図１から図７は、第１実施形態を示す図である。図１は、本実施形態のトレーディングカード買取査定システムの概要を説明するための図である。図１に示すように、本システムは、店舗装置１００と管理装置３００を含んで構成される。店舗装置１００は、顧客が買取査定を依頼するトレーディングカードを持ち込む店舗に設けられる。例えば、店員は、店舗の買取カウンターで顧客から買取査定対象カードを受け取り、店舗装置１００を用いて、買取査定を行う。１店舗には、１台のみならず、複数台の店舗装置１００を設置することができる。
【００２７】
店舗装置１００は、撮影装置が設けられており、本実施形態では、買取査定対象カードを撮影することで、非接触型で買取査定対象カードを読み取る。店舗装置１００は、持ち込まれた買取査定対象カードを撮影して生成された買取対象画像データを、管理装置３００から配信される照合用画像データと照合し、特定された照合用画像データに紐付く取引情報を抽出する買取査定処理を行う。店舗装置１００の表示部には、査定情報が表示され、顧客及び店員は、読み込んだ各買取査定対象カードの査定情報を確認することができる。
【００２８】
買取査定対象カードが複数ある場合は、店員は、一枚ずつ撮影装置で撮像して買取査定対象カードを読み込ませる。店舗装置１００は、各買取対象画像データを照合用画像データと照合して、照合結果に基づく各査定情報を生成する。生成された１つ又は複数の査定情報は、査定明細情報として集約することができる。店舗装置１００は、生成された１つ又は複数の査定情報を所定の明細フォーマットに形成し、査定明細情報を生成する。店員は、店舗装置１００の表示部に査定明細情報を表示して顧客に提示したり、印刷して顧客に提供したりすることができる。
【００２９】
管理装置３００は、店舗装置１００の買取査定処理に用いられるトレーディングカードの照合用画像データと買取価格を含む取引情報とを管理する。管理装置３００は、店舗装置１００と無線又は有線のネットワークを介して接続され、店舗装置１００は、管理装置３００から照合用画像データと取引情報とをダウンロードすることができる。管理装置３００は、他の店舗に設置された店舗装置１００と接続することもでき、各店舗に対して買取査定処理に用いられる各種データを提供すると共に、各店舗において行われた買取査定に関する履歴を集約して管理する。
【００３０】
図２は、本実施形態に係るトレーディングカード買取査定システムを構成する各装置の機能ブロック図である。図３は、本実施形態の各種データを説明するための図である。
【００３１】
店舗装置１００は、通信装置１１０、制御装置１２０、記憶装置１３０、撮影装置１４０、表示・操作入力装置１５０、及び高速処理用半導体記憶装置（以下、半導体記憶装置という）１６０を含んで構成されている。通信装置１１０は、管理装置３００との間を含めた無線又は有線のデータ通信制御を行う。
【００３２】
店舗装置１００は、パーソナルコンピュータやタブレット型コンピュータであり、撮影装置１４０が、内蔵型又は外付け型で設けられている。表示・操作入力装置１５０についても同様であり、ディスプレイ装置やキーボード、マウスなどが個別に接続されたり、装置一体型のタッチパネル方式であってもよい。
【００３３】
記憶装置１３０は、補助記憶装置であり、例えば、ハードディスクドライブなどのＣＰＵから直接アクセスできない外部バスに接続された記憶領域である。一方、高速処理用半導体記憶装置１６０は、主記憶装置であり、例えば、メインバスに直接接続され、ＣＰＵが即座にアクセスできる記憶領域である。
【００３４】
制御装置１２０は、ＣＰＵ等の制御部であり、店舗装置１００全体の制御を司る。制御装置１２０は、データ取得部１２１、買取制御部１２２、撮影制御部１２３、照合制御部１２４、及び印刷制御部１２５を含んで構成されている。
【００３５】
データ取得部１２１は、管理装置３００にデータ取得要求を送信し、管理装置３００から配信される配信用照合データを記憶装置１３０に記憶する。受信した配信用照合データには、照合用画像データ１３１及び取引情報１３２が含まれており、データ取得部１２１は、照合用画像データ１３１及び取引情報１３２を記憶装置１３０に記憶する。データ取得部１２１によるデータ取得処理は、店員が買取査定処理を行う前の任意のタイミングで行うことができる。また、データ取得処理は、所定の時間間隔で複数回行うこともできる。
【００３６】
買取制御部１２２は、記憶装置１３０に記憶された照合用画像データ１３１、すなわち、管理装置３００から配信された照合用画像データ１３１を複数一括して半導体記憶装置１６０に展開させ、複数の各照合用画像データをキャッシュ済みにさせるデータ展開部として機能する。買取制御部１２２は、例えば、店員による所定の起動操作や開始操作に基づいて、照合用画像データ１３１を記憶装置１３０から抽出し、半導体記憶装置１６０にキャッシュさせることができる。
【００３７】
撮影制御部１２３は、撮影装置１４０の撮影動作を制御し、撮影装置１４０から出力される撮像データを用いて買取査定対象カードの画像データ（買取対象画像データ）を生成する。撮影装置１４０は、例えば、ＣＣＤやＣＭＯＳ等の撮像素子及び撮影レンズを備えたカメラである。また、撮影装置１４０は、動画モードでリアルタイムに連続した撮影動作が可能であり、例えば、撮影制御部１２３は、撮影レンズに買取査定対象カードをかざすだけで、自動的に買取対象画像データを生成するように制御することができる。このように構成することで、複数枚の買取査定対象カードを撮影装置１４０で連続して読み込むことができる。また、複数枚を一度に撮影することもでき、撮影制御部１２３は、１つの撮影画像内に含まれる複数の買取対象画像データを切り出して、各買取対象画像データを生成することもできる。
【００３８】
照合制御部１２４は、撮影された買取対象画像データと半導体記憶装置１６０にキャッシュ済みの複数の照合用画像データとを比較し、買取対象画像データに合致する照合用画像データを特定する照合処理を行う。照合処理では、例えば、画像データから抽出したエッジやコーナーなどの特徴点や、特徴点の周囲の領域から算出される特徴量を用いて、画像間をマッチングする画像マッチング処理などの、公知の手法を適用することができる。
【００３９】
図３（ａ）は、照合用画像データ１３１の一例を示す図である。トレーディングカードの照合用画像データは、不図示のキャラクタなどの絵柄、文字、図形などを含んでいる。照合用画像データは、トレーディングカードを発行元（販売元）から提供される画像データや、販売されている現物のトレーディングカードを撮影やスキャナで読み込んで生成された画像データである。照合用画像データ１３１は、複数の画像データ群で構成されており、ユニークな画像ＩＤが紐付いている。
【００４０】
買取制御部１２２は、照合制御部１２４によって特定された照合用画像データに紐付く取引情報１３２を、記憶装置１３０から抽出する。図３（ｂ）は、取引情報１３２の一例を示す図である。取引情報１３２は、トレーディングカードの識別情報であるカード番号毎に、カード名、レアリティ（希少価値）、買取区分、パラレル、買取金額、販売金額を含んでおり、各取引情報１３２は、画像ＩＤと紐付いている。また、取引情報１３２には、カード状態を含むことができる。買取金額や販売金額は、カード状態別に設定することができ、カード状態のランクＡ（良い）、ランクＢ（普通）、ランクＣ（あまり良くない）の順に金額を低く設定することができる。
【００４１】
買取制御部１２２は、上述のように（図１参照）、照合した結果、言い換えれば、買取査定対象カードの査定結果として、抽出された取引情報１３２を含む情報で構成される査定情報を生成する。査定情報は、査定情報表示画面として、店舗装置１００に表示される。査定情報表示画面は、読み取った買取査定対象カードの画像データやカード番号、カード名、リアリティ、買取区分、パラレルなどの情報が表示されるとともに、カード状態が選択可能に表示されている。査定情報表示画面において、カード状態を選択すると、買取制御部１２２は、選択されたカード状態に紐付く買取金額及び販売金額を取引情報１３２から抽出して表示する。
【００４２】
また、買取制御部１２２は、図１に示すように、複数の査定情報をリスト化した査定明細情報を生成し、明細画面に表示する。明細画面には、査定情報の連番毎に買取対象画像データと共に、カード番号、カード名、レアリティ、状態、買取価格などが表示される。なお、同じトレーディングカードを複数枚査定する場合もあり、枚数及び枚数に応じた買取金額の小計なども含まれる。明細画面にリスト表示されている各査定情報は、「リストから削除」ボタンを選択することで、買取査定の対象から除外することができる。
【００４３】
明細画面では、各査定情報のカード枚数を合計した合計枚数や買取金額の合計金額が表示される。買取制御部１２２は、各査定情報に基づいてこれらの集計処理を行って明細画面に表示（査定明細情報を生成）することができる。なお、明細画面において各査定情報を選択すると、上述した査定情報毎の査定情報画面を表示するように制御することができ、例えば、カード状態を変更するなどの査定情報の更新を行うことができる。
【００４４】
また、印刷ボタンを選択すれば、査定明細情報を印刷装置２００で印刷することができる。印刷ボタンが選択されると、買取制御部１２２は、印刷制御部１２５に印刷指示を出力し、印刷制御部１２５は、査定情報や査定明細情報を出力して印刷装置２００に印刷させる印刷制御を行う。保留ボタンは、例えば、買取査定を行ったものの、顧客が買取の最終的な意思を保留したい場合に、査定結果（査定情報）を記憶装置１３０に保存することができる。
【００４５】
確定ボタンは、顧客が持ち込んだ買取査定対象カードの買取を確定する。確定ボタンが選択されると、買取制御部１２２は、査定情報及び査定明細情報に基づく買取査定履歴１３３を生成し、記憶装置１３０に記憶する。一方、キャンセルボタンは、実施した買取査定での買取を中止するときに使用される。このとき、買取制御部１２２は、キャンセルボタンが選択されると、実施した買取査定、すなわち、査定情報及び査定明細情報を買取査定履歴１３３として記憶装置１３０に保存することができる。
【００４６】
図３（ｃ）は、買取査定履歴１３３の一例を示す図である。買取査定履歴１３３は、受け付けた１回の買取査定アクション毎に付与される買取査定ＩＤ、保留ＩＤ、買取結果、連番、画像ＩＤ、ガード番号、カード名、レアリティ、買取区分、パラレル、カード状態、買取金額、枚数、買取金額の小計、合計枚数、合計金額を含む。保留ＩＤは、上述した保留ボタンが選択されたときに実施した買取査定アクションの履歴である。買取結果は、実施した買取査定に対する買取が成立したのか、顧客が保留したのか、顧客がキャンセルしたのかを示す情報が記録される。本実施形態の買取査定履歴１３３は、買取が成立した買取査定履歴、買取保留の買取査定履歴、及び買取未成立の買取査定履歴を含む買取査定に関する履歴である。買取制御部１２２は、買取査定履歴１３３を任意のタイミングで管理装置３００に送信する。
【００４７】
次に、管理装置３００について説明する。図２に示すように、管理装置３００は、通信装置３１０、制御装置３２０及び記憶装置３３０を含んで構成されている。
【００４８】
記憶装置３３０には、店舗装置１００に配信される複数の照合用画像データ１３１を一部に含むトレーディングカードの画像マスタ３３１のデータ群が記憶されている。画像マスタ３３１のデータ群は、上述したように画像ＩＤが関連付けられている。また、画像マスタ３３１のデータ群の各データに紐付く取引情報マスタ３３２も記憶されている。取引情報マスタ３３２は、買取価格を含む取引情報であり、図３（ｂ）と同様のデータ構造である。
【００４９】
制御装置３２０は、解析部３２１、配信用照合データ生成部３２２、照合データ配信制御部３２３、買取査定履歴管理部３２４、及び情報管理部３２５を含んで構成されている。
【００５０】
解析部３２１は、店舗装置１００での買取査定に関する履歴、トレーディングカードに関するイベント情報の履歴、トレーディングカードをテーマとして取り上げたＷｅｂサイトの掲載履歴、トレーディングカードの話題を含むコミュニティサイトの掲載履歴の少なくとも１つに基づいて、店舗に持ち込まれるトレーディングカードの買取ニーズ動向情報を生成する。生成された買取ニーズ動向情報は、記憶装置３３０に記憶される。
【００５１】
配信用照合データ生成部３２２は、買取ニーズ動向情報に基づいて、店舗装置１００の半導体記憶装置１６０に一括して展開可能な予め設定された所定数の照合用画像データ群を画像マスタ３３１から抽出し、記憶装置３３０に記憶する。照合データ配信制御部３２３は、抽出された配信用画像データ群と、取引情報マスタ３３２から抽出される照合用画像データ群に紐付く取引情報とを含む配信用照合データ３３３を店舗装置１００に配信する。このとき、取引情報マスタ３３２から所定数の配信用画像データ群それぞれに紐付く取引情報を抽出する処理は、配信用照合データ生成部３２２が所定数の照合用画像データ群を画像マスタ３３１から抽出する際に、紐付く取引情報を取引情報マスタ３３２から抽出してセットにして配信用照合データ３３３を生成してもよい。また、配信用照合データ生成部３２２によって抽出された照合用画像データ群が配信用照合データ３３３として記憶され、取引情報は取引情報マスタ３３２に個別に保持しておき、照合データ配信制御部３２３が、店舗装置１００に配信用画像データ群を配信する際に、照合用画像データ群に紐付く取引情報を取引情報マスタ３３２から抽出して、配信用照合データ３３３を生成するように構成してもよい。
【００５２】
買取査定履歴管理部３２４は、店舗装置１００から送信される買取査定履歴を受信して、記憶装置３３０に記憶する。買取査定履歴３３４は、上述したように各店舗の買取が成立した買取査定履歴、買取保留の買取査定履歴、及び買取未成立の買取査定履歴を含む。
【００５３】
情報管理部３２５は、トレーディングカードに関するイベント情報の履歴、トレーディングカードをテーマとして取り上げたＷｅｂサイトの掲載履歴、トレーディングカードの話題を含むコミュニティサイトの掲載履歴の各情報の入力や、情報収集処理を行う。例えば、所定の画面を通じた情報入力を制御したり、Ｗｅｂサイトを提供するＷｅｂサーバやコミュニティサイトを提供するコミュニティサーバに接続し、各種ページやページ内に掲載された各種記事情報を収集したりすることができる。
【００５４】
トレーディングカードに関するイベント情報の履歴とは、トレーディングカードに関するイベント（例えば、大会）で取り上げられたデッキ（トレーディングカードゲーム（ＴＣＧ）で使用される複数枚のトレーディングカードの組み合わせ）に使用されたトレーディングカードや紹介されたトレーディングカードである。なお、本実施形態のトレーディングカードは、トレーディングカードゲームに使用されるゲーム性のあるトレーディングカードだけでなく、交換（トレード）や収集（コレクション）などの鑑賞用のトレーディングカードを含む。このため、例えば、イベント情報の履歴には、交換や収集などのゲーム性とは関係のないトレーディングカードに関するイベント情報が含まれ、交換や収集などのイベントで注目を浴びたり、紹介されたりしたトレーディングカードも含まれる。
【００５５】
トレーディングカードをテーマとして取り上げたＷｅｂサイトの掲載履歴とは、上述したイベント情報を含むと共に、トレーディングカードの発行元（販売元）や事業として又は私的にトレーディングカードを販売したり紹介したりするＷｅｂページに掲載される情報である。
【００５６】
トレーディングカードの話題を含むコミュニティサイトの掲載履歴とは、ＳＮＳ（ソーシャル  ネットワーキング  サービス）などの情報発信、情報交換を行うコミュニティサイトでトレーディングカードが話題として取り上げられた情報である。
【００５７】
図４は、本実施形態の解析部３２１による買取ニーズ解析処理を説明するための図である。図４に示すように、店舗での買取査定履歴、トレーディングカードに関するイベント情報の履歴、トレーディングカードをテーマとして取り上げたＷｅｂサイトの掲載履歴、トレーディングカードの話題を含むコミュニティサイトの掲載履歴を用いて、顧客の買取ニーズ動向を把握する。そして、買取ニーズ動向情報に基づいて、店舗装置１００の半導体記憶装置１６０に一括して展開可能な予め設定された所定数の照合用画像データ群を画像マスタ３３１から抽出する。
【００５８】
トレーディングカードは、何万種類、何十万種類とあり、買取査定のマスタとなる照合用画像データ数は膨大である上に、日々新しいカードが増えていく。このため、膨大な数の照合用画像データの中から画像マッチング処理を行うと照合処理速度が著しく低下し、レスポンスが低くなる。レスポンス性が低いと、買取査定にかかる時間が増加し、顧客満足度が低下してしまう。特に、顧客が持ち込む買取査定対象カード数が多いと、買取査定にかかる時間はさらに増加してしまう。
【００５９】
そこで、本実施形態では、店舗装置１００の画像データを用いた照合処理を高速化するために、半導体記憶装置１６０にキャッシュされた照合用画像データ群とマッチングさせる。しかしながら、半導体記憶装置１６０の記憶容量には上限（制限）があるため、キャッシュ可能な照合用画像データの数は、限られる。
【００６０】
このため、本実施形態では、買取ニーズ動向を解析し、買取ニーズ動向に基づいて半導体記憶装置１６０にキャッシュさせる照合用画像データを選定し、選抜された照合用画像データ群を配信する。店舗装置１００では、選定された照合用画像データのみを半導体記憶装置１６０に展開させて照合処理を行う。このように構成することで、買取ニーズ動向に基づいて顧客が持ち込むであろう買取査定対象カードを中心とした所定数の照合用画像データ群を形成し、膨大な画像マスタの数に比べて極めて少ない所定数の照合用画像データ群であっても高速照合処理の対象数を増やすことができ、買取査定にかかる時間を短縮し、顧客の満足度向上と共に、人件費等のコストを低減させることができる。
【００６１】
ここで、買取ニーズ動向解析処理について説明する。例えば、解析部３２１は、買取査定に関する履歴に基づいて、買取査定の依頼数が所定値以上のトレーディングカードや、買取査定の依頼数が多い順位に所定順位以上のトレーディングカードを抽出し、抽出されたトレーディングカードを買取ニーズ動向情報として生成することができる。
【００６２】
また、解析部３２１は、買取査定に関する履歴に基づいて、買取査定の依頼数の変化率が所定値以上のトレーディングカードや、買取価格の変化率が所定値以上のトレーディングカードを抽出し、抽出されたトレーディングカードを買取ニーズ動向情報として生成することができる。買取査定に関する履歴に基づいて、生成された買取ニーズ動向情報は、第１買取ニーズ動向情報として記憶装置３３０に記憶される。
【００６３】
次に、解析部３２１は、トレーディングカードに関するイベント情報の履歴に基づいて、イベントで使用又は紹介されたトレーディングカードを抽出し、抽出されたトレーディングカードを第２買取ニーズ動向情報として生成することができる。例えば、所定期間内のＴＣＧの大会で上位になったデッキで使用されているトレーディングカードを抽出することができる。
【００６４】
また、解析部３２１は、トレーディングカードをテーマとして取り上げたＷｅｂサイトの掲載履歴に基づいて、テーマに関連するトレーディングカードを抽出し、抽出されたトレーディングカードを第３買取ニーズ動向情報として生成することができる。例えば、所定期間内に取り上げられた数が多い順に上位のトレーディングカードを抽出したり、所定期間内で話題に上あげられた数の上昇変化率が所定値以上のトレーディングカードを抽出することができる。
【００６５】
さらに解析部３２１は、トレーディングカードの話題を含むコミュニティサイトの掲載履歴に基づいて、コミュニティサイトで話題となったトレーディングカードを抽出し、抽出されたトレーディングカードを第４買取ニーズ動向情報として生成することができる。例えば、所定期間内に話題に取り上げられた数が多い順に上位のトレーディングカードを抽出することができる。
【００６６】
そして、本実施形態では、これら各履歴情報のうち、少なくとも１つの履歴情報に基づく買取ニーズ動向情報を用いて、店舗装置１００に配信される照合用画像データ群を画像マスタ３３１から抽出することができるが、これらの各履歴情報ぞれぞれの買取ニーズ動向情報を把握し、複合的に照合用画像データ群を抽出するように構成することができる。
【００６７】
図５は、本実施形態の買取ニーズ解析処理及び配信用照合データ生成処理の処理フローを示す図である。ステップＳ３０１〜ステップＳ３０４は、上述した各履歴情報の収集処理及び記憶処理であり、買取査定履歴管理部３２４及び情報管理部３２５によって遂行される。そして、解析部３２１は、以下の各解析処理を行う（Ｓ３０５）。
【００６８】
解析部３２１は、店舗装置１００での買取査定に関する履歴に基づいて、画像マスタ３３１の中から買取査定の依頼数が所定値以上のトレーディングカード群や買取査定の依頼数が多い順に所定順位以上のトレーディングカード群などを抽出し、抽出されたトレーディングカード群を第１買取ニーズ動向情報として生成する第１解析処理を行う。
【００６９】
例えば、買取査定履歴において、直近１週間で買取査定が多かったもの上位Ｘ１件を抽出する。また、直近３日間で買取査定が急に増えたもの（所定値以上の依頼数の増加変化率）上位Ｘ２件を抽出する。また、所定期間内に買取価格の増加率が所定値以上上昇したもの上位Ｘ３件を抽出する。
【００７０】
解析部３２１は、トレーディングカードに関するイベント情報の履歴に基づいて、画像マスタ３３１の中からイベントで使用又は紹介されたトレーディングカード群を抽出し、抽出されたトレーディングカード群を第２買取ニーズ動向情報として生成する第２解析処理を行う。例えば、直近１ヵ月の大会で上位になったデッキに使用されているものをランキングして上位Ｙ１件を抽出する。また、以前は大会上位だったが、使用頻度の低くなったものをランキングして上位Ｙ２件を抽出する。
【００７１】
次に、解析部３２１は、トレーディングカードをテーマとして取り上げたＷｅｂサイトの掲載履歴に基づいて、画像マスタ３３１の中からテーマに関連するトレーディングカード群を抽出し、抽出されたトレーディングカード群を第３買取ニーズ動向情報として生成する第３解析処理を行う。例えば、Ｗｅｂサイトで取り上げられたものをランキングして上位Ｚ１件を抽出する。なお、第３解析処理は、上述したように第２解析処理を一部含むことができ、Ｗｅｂサイトに掲載されたイベント情報で紹介されたもの上位Ｚ１ａ件を抽出するように構成することもできる。
【００７２】
さらに、解析部３２１は、トレーディングカードの話題を含むコミュニティサイトの掲載履歴に基づいて、画像マスタ３３１の中からコミュニティサイトで話題となったトレーディングカード群を抽出し、抽出されたトレーディングカード群を第４買取ニーズ動向情報として生成する第４解析処理を行う。例えば、コミュニティサイトで話題になっているものランキングして上位Ｚ２件を抽出する。
【００７３】
解析部３２１は、各解析処理における買取ニーズ動向情報を記憶装置３３０に記憶する（Ｓ３０６）。
【００７４】
配信用照合データ生成部３２２は、第１買取ニーズ動向情報に基づいて第１照合用画像データ群を抽出し、第２買取ニーズ動向情報に基づいて第２照合用画像データ群を抽出する。また、第３買取ニーズ動向情報に基づいて第３照合用画像データ群を抽出し、第４買取ニーズ動向情報に基づいて第４照合用画像データ群を抽出する（Ｓ３０７）。そして、これらを合算して、配信用照合データ用の照合用画像データ群を生成し、記憶装置３３０に記憶する（Ｓ３０８）。
【００７５】
第１照合用画像データ群から第４照合用画像データ群を合算したカード画像データの合計数は、上述した店舗装置１００の半導体記憶装置１６０に一括して展開可能な所定数α以下となるように、調整される。
【００７６】
例えば、所定数αは、半導体記憶装置１６０の記憶容量に応じて決められているので、Ｘ１〜Ｘ３、Ｙ１，Ｙ２、Ｚ１〜Ｚ２の各件数の合計が所定数α以下となるように、各解析処理で抽出される件数を任意に設定することができる。また、所定数αに対する各解析処理で得られた買取ニーズ動向情報に基づいて抽出される各照合用画像データ群の割合は、任意に設定することができる。
【００７７】
例えば、解析部３２１は、各解析処理で抽出される各件数を所定数α以下で任意に設定して調整可能に、画面入力等を通じて制御することができる。また、各解析処理から把握される買取ニーズ動向の重み付けを設定できるように制御し、所定数α以下で設定された重み付け値に従う割合で各買取ニーズ動向に応じた各照合用画像データ群が含まれるように制御することもできる。
【００７８】
なお、本実施形態の照合用画像データ群の数は、所定数α以下であるが、所定数αと同じ数のデータ数で構成された照合用画像データ群を形成するように制御することが好ましい。つまり、予め設定された所定数αの照合用画像データ群の数とは、所定数αと同じ数又はそれに近い数を含むものである。また、各解析処理で抽出されるトレーディングカードは、重複することがある。この場合、重複したことで所定数αに対して不足する分の照合用画像データを画像マスタ３３１から抽出して補填する調整処理を行うこともできる。
【００７９】
また、上記説明では、予め照合用画像データ群の数が所定数αとなるように、予めＸ１〜Ｘ３、Ｙ１，Ｙ２、Ｚ１〜Ｚ２の各件数の合計が所定数α以下となるように設定した一例を説明したが、これに限るものではない。例えば、Ｘ１〜Ｘ３、Ｙ１，Ｙ２、Ｚ１〜Ｚ２の各件数の合計が所定数αよりも多くなるように設定し、各トレーディングカードについて所定のルールで点数を付けて、複数の解析処理で抽出される全体のトレーディングカードを順位付けする。そして、順位付けされた所定数αに対応する上位のものを照合用画像データ群として抽出することもできる。
【００８０】
なお、買取査定履歴３３４や買取ニーズ動向の解析処理に使用される情報及び解析結果は、トレーディングカードの買取価格や買い取ったトレーディングカードの販売価格を決定する情報として活用することができる。つまり、管理装置３００の取引情報マスタ３３２は、任意のタイミングで随時更新される。また、解析処理に使用される買取査定履歴３３４は、他の店舗や特定の地域の店舗の買取査定履歴を含むこともでき、逆に特定の店舗や特定の地域の買取査定履歴が含まれないように構成することもできる。
【００８１】
図６は、本実施形態のトレーディングカード買取査定システムの処理フローを示す図である。店員は、店舗装置１００を起動し、所定の買取査定開始ボタンを押下する（Ｓ１０１）。店舗装置１００は、管理装置３００に照合データ取得要求を送信する（Ｓ１０２）。管理装置３００は、配信用照合データ３３３を記憶装置３３０から抽出して、店舗装置１００に送信する（Ｓ３１１，Ｓ３１２）。店舗装置１００は、管理装置３００から配信用照合データ３３３を受信し、受信した配信用照合データに含まれる照合用画像データ及び取引情報を記憶装置１３０に記憶する（Ｓ１０３）。
【００８２】
店舗装置１００は、記憶装置１３０から照合用画像データ群を抽出し、これら複数の画像データを一括して半導体記憶装置１６０に展開させ、複数の各照合用画像データをキャッシュ済みにさせる（Ｓ１０４）。
【００８３】
店員は、買取カウンターで顧客から買取査定対象カードを受け付ける。店員は、撮影装置１４０を起動させて、撮影を開始する。買取査定対象カードは、非接触型で読み取られ、買取対象画像データが生成される（Ｓ１０５）。店舗装置１００は、半導体記憶装置１６０にキャッシュされている照合用画像データ群と照合する（Ｓ１０６）。照合の結果、該当する照合用画像データが特定されれば（Ｓ１０７のＹＥＳ）、ステップＳ１０９に進み、特定された照合用画像データに紐付く取引情報を抽出して査定情報を生成し（Ｓ１０９）、生成された査定情報を査定情報表示画面に表示する（Ｓ１１０）。
【００８４】
一方、ステップＳ１０６において該当する照合用画像データが特定されない場合（Ｓ１０７のＮＯ）、管理装置３００に、特定できなかった買取査定対象カードの問い合わせ処理を行う（Ｓ１０８）。店舗装置１００は、買取対象画像データを管理装置３００に送信し、管理装置３００は、記憶装置３３０に記憶されている画像マスタ３３１を用いて照合処理を行い、照合結果（取引情報）を店舗装置１００に送信する（Ｓ３１３）。
【００８５】
顧客から受け付けた全ての買取査定対象カードについてステップＳ１０５からＳ１１１を繰り返し行い、全ての買取査定対象カードについて照合処理が終了したとき（Ｓ１１１のＹＥＳ）、ステップＳ１１２に進み、査定明細情報を生成して表示する（Ｓ１１２）。
【００８６】
ステップＳ１１３は、店舗装置１００での照合処理を行わずに、店員が買取査定対象カードを直接買取査定し、その買取査定結果を入力する処理である。例えば、買取制御部１２２は、査定明細情報を表示する画面から不図示の追加ボタンが選択されると、カード番号やカード名、枚数、買取金額などを入力する個別買取査定画面を表示し、店員によって入力された買取査定結果に基づいて査定情報を生成することができる。生成された査定情報は、査定明細情報に追加される。
【００８７】
店員は、顧客とコミュニケーションを取りながら、買取価格の金額交渉や一部買取を止める顧客の要望に基づいて、査定情報を編集する（Ｓ１１４）。店舗装置１００は、編集結果を査定情報及び査定明細情報に反映する。そして、店舗装置１００は、査定明細情報を表示したり、印刷ボタンの選択に応じて印刷処理を行ったりして顧客に提示する（Ｓ１１５）。
【００８８】
次に、買取査定を行ったものの、顧客が買取を保留したい場合、店員は、保留ボタンを選択する。店舗装置１００は、保留ボタンが選択されると（Ｓ１１６のＹＥＳ）、保留ＩＤを発行して保留ＩＤと査定結果（査定情報）とを紐付けた保留履歴（買取査定履歴）を記憶装置１３０に保存する（Ｓ１１７）。このとき、発行した保留ＩＤを含むレシートなどを印刷して、顧客に渡す（通知する）ことができる。また、店舗装置１００は、保留履歴を管理装置３００に送信する（Ｓ１１７）。管理装置３００は、保留履歴を買取査定履歴３３４として、記憶装置３３０に記憶する（Ｓ３１４）。
【００８９】
顧客が保留しない場合、店員は、買取承諾か買取をキャンセルするかを顧客に確認する。買取承諾の場合（Ｓ１１８の承諾）、店員は、確定ボタンを選択して、顧客が持ち込んだ買取査定対象カードの買取を確定する。店舗装置１００は、確定ボタンが選択されると、査定情報及び査定明細情報に基づく買取査定履歴１３３を生成し、記憶装置１３０に記憶する（Ｓ１２０）。一方、キャンセルの場合（Ｓ１１８のキャンセル）、店員は、キャンセルボタンを選択し、実施した買取査定での買取を中止する。店舗装置１００は、キャンセルボタンが選択されると、実施した買取査定の査定情報及び査定明細情報を含む買取査定履歴１３３を生成し、記憶装置１３０に記憶する（Ｓ１１９）。
【００９０】
ステップＳ１１９のキャンセル処理及びステップＳ１２０の買取確定処理において、生成された買取査定履歴は、管理装置３００に送信される。管理装置３００は、店舗装置１００から受信した買取査定履歴を記憶装置３３０に記憶する。
【００９１】
図７は、本実施形態の保留履歴を用いた処理フローを示す図である。顧客は、買取を保留した実施済みの買取査定に対して、その後買取を承諾したり、キャンセルしたりすることができる。顧客は、通知された保留ＩＤを買取カウンターで店員に告げる。店員は、店舗装置１００に保留ＩＤを入力する（Ｓ１３１）。例えば、買取制御部１２２は、所定の画面から保留ＩＤを受け付け、入力された保留ＩＤに紐付く買取査定履歴の取得要求を管理装置３００に送信する（Ｓ１３２）。
【００９２】
管理装置３００の買取査定履歴管理部３２４は、受信した保留ＩＤをキーに、買取査定履歴３３４を検索して、該当する買取査定履歴（保留履歴）を抽出し（Ｓ３２１）、店舗装置１００に送信する（Ｓ３２２）。
【００９３】
店舗装置１００は、要求した保留ＩＤに紐付く買取査定履歴を受信し（Ｓ１３３）、査定明細リストを表示したり、印刷したりする（Ｓ１３４）。その後の処理は、図６に示す処理と同じであるので、同符号を付して説明を省略する。なお、再度保留する場合は、別の保留ＩＤを発行せずに同じ保留ＩＤを使用することができる。また、買取承諾又は買取キャンセルする場合、保留ＩＤを除く買取査定履歴を生成することができる。
【００９４】
以上、本実施形態について説明したが、上述のトレーディングカード買取査定システムを構成する各機能は、プログラムによって実現可能であり、各機能を実現するために予め用意されたコンピュータプログラムが補助記憶装置に格納され、ＣＰＵ等の制御部が補助記憶装置に格納されたプログラムを主記憶装置に読み出し、主記憶装置に読み出された該プログラムを制御部が実行することで、各部の機能を動作させることができる。
【００９５】
また、上記プログラムは、コンピュータ読取可能な記録媒体に記録された状態で、コンピュータに提供することも可能である。コンピュータ読取可能な記録媒体としては、ＣＤ−ＲＯＭ等の光ディスク、ＤＶＤ−ＲＯＭ等の相変化型光ディスク、ＭＯ（Magnet Optical）やＭＤ(Mini Disk)などの光磁気ディスク、フロッピー（登録商標）ディスクやリムーバブルハードディスクなどの磁気ディスク、コンパクトフラッシュ（登録商標）、スマートメディア、SDメモリカード、メモリスティック等のメモリカードが挙げられる。また、本発明の目的のために特別に設計されて構成された集積回路（ICチップ等）等のハードウェア装置も記録媒体として含まれる。
【符号の説明】
【００９６】
１００  店舗装置
１１０  通信装置
１２０  制御装置
１２１  データ取得部
１２２  買取制御部
１２３  撮影制御部
１２４  照合制御部
１２５  印刷制御部
１３０  記憶装置（補助記憶装置）
１３１  照合用画像データ
１３２  取引情報
１３３  買取査定履歴
１４０  撮影装置
１５０  表示・操作入力部
１６０  半導体記憶装置
２００  印刷装置
３００  管理装置
３１０  通信装置
３２０  制御装置
３２１  解析部
３２２  配信用照合データ生成部
３２３  照合データ配信制御部
３２４  買取査定履歴管理部
３２５  情報管理部
３３０  記憶装置
３３１  画像マスタ
３３２  取引情報マスタ
３３３  配信用照合データ
３３４  買取査定履歴
３３５  買取ニーズ動向情報
【図１】
2019082870.tif 000003
【図２】
2019082870.tif 000004
【図３】
2019082870.tif 000005
【図４】
2019082870.tif 000006
【図５】
2019082870.tif 000007
【図６】
2019082870.tif 000008
【図７】
2019082870.tif 000009